(57)【要約】【課題】シャッターが開閉動作する際にシャッター部分への小袋の進入をなくし、供給コンベアの小袋投入の位置のずれを無くすことができ、搬送面の摩擦変動の影響を無くして容器内への安定投入を可能にできる多列分配装置を提供する。【解決手段】小袋１０をアタッチメント３２で押してメインシュート２６搬送面上で搬送させて前記小袋１０が配列された複数の容器１６に対応した位置のときに、メインシャッター手段２０を開くがその開き動作のときに振り分けシュート２２をサブシュート２８側に切換えてアタッチメント３２により前記小袋１０をサブシュート２８上に搬送させ、そして、前記メインシャッター手段２０の閉じ動作のときに振り分けシュート２２をメインシュート２６側に切換え、サブシュート２８上の小袋１０をメインシュート２６上に搬送する。【選択図】図３
2010274952.tif 000002
【特許請求の範囲】
【請求項１】
複数の小袋が連なった連包袋を各小袋に分断するカッターと、配列した複数の容器の上方で該配列方向に沿って前記分断された小袋を搬送する搬送手段と、搬送された小袋を前記配列した複数の容器内に同時に投入するためのシャッター手段とを有する多列分配装置において、
分断された小袋を順次に振り分けシュートに向けて供給する供給部と、
長さ方向が水平かつ複数の容器の配列方向に沿って配置されかつ幅方向中央に連続した溝のある板材であってその搬送面上に小袋を滑らせるメインシュートと、
前記メインシュートに平行かつメインシュートの上方に位置して、長さ方向に見て入側端の位置がメインシュートの入側端と同じ位置でかつ長さが前記メインシュートよりも短くかつ幅方向中央に連続した溝のある板材であってその搬送面上に小袋を滑らせるサブシュートと、
幅方向中央に連続した溝のある板材であって後端が上下に移動して前記メインシュートまたは前記サブシュートの入側端に位置することによって、前記供給部から供給された小袋を前記メインシュートまたは前記サブシュートに選択的に向ける振り分けシュートと、
これら振り分けシュート、メインシュートおよびサブシュートの上方に位置して複数のアタッチメントを小袋の搬送方向に駆動させる分配コンベアと、
下方部が前記振り分けシュート、メインシュートおよび振り分けシュートの溝内に入った状態で前記小袋をそれぞれで押して搬送する複数のアタッチメントと、
前記メインシュートを幅方向に開閉動作させるものであって、閉状態時に小袋をメインシュート搬送面上に滑らせて搬送可能にし、一方、開状態時に小袋を下方に配列された複数の容器に向けて落下可能にするメインシャッター手段と、
前記振り分けシュートの駆動とメインシャッター手段の駆動を制御する制御部とを備え、
前記制御部は、前記振り分けシュートをメインシュートに向けた状態で前記小袋をアタッチメントで押してメインシュート搬送面上で搬送させていって、前記小袋が配列された複数の容器に対応した位置に搬送されたときに、メインシャッター手段の開き動作のときに振り分けシュートをサブシュート側に切換えてアタッチメントにより前記小袋をサブシュート上に搬送させ、一方、前記メインシャッター手段の閉じ動作のときに振り分けシュートをメインシュート側に切換えてアタッチメントによってサブシュート上の小袋をメインシュート上に搬送しかつ供給部からの小袋を振り分けシュートからメインシュート上にアタッチメントによって搬送させるようにしたことを特徴とする多列分配装置。
【請求項２】
前記カッターは、複数の刃を円周上に等間隔に配置しており、連包袋の送り速度と同期して、該連包袋の小袋同士を繋いでいる横シール部を切断するロータリーカッターであることを特徴とする請求項１に記載の多列分配装置。
【請求項３】
前記供給部は、前記分配コンベアによるアタッチメントの送り速度に同期させた送り速度のコンベアベルトによって振り分けシュートに小袋を供給することを特徴とする請求項１または２に記載の多列分配装置。
【請求項４】
前記メインシュートの下方には、小袋の容器への落下位置をガイドするホッパーを設け、このホッパーには、その底部を開閉する投入シャッター手段を設け、
制御部は、投入シャッター手段が閉状態時にメインシャッター手段を開動作させてメインシャッター手段から落下した小袋をホッパー内に一時的に貯留し、前記メインシャッター手段が閉動作した後に投入シャッター手段を開状態にして小袋を容器内に投入するようにしたことを特徴とする請求項１から３のうちの一項に記載の多列分配装置。
【発明の詳細な説明】
【技術分野】
【０００１】
本発明は、容器に食品を格納する包装ラインにおいて、スープや具材などの調味料を充填した小袋（「パウチ」とも称する）をカップ等の容器内に投入する多列分配装置に関する。
【背景技術】
【０００２】
従来、食品商品を包装体の容器内に収納したものが多く、一般に、カップ麺などの食品商品は調味料や薬味等の小袋（パウチ）と共に容器内に同封している。
【０００３】
このような容器にパウチを投入する装置には、高速かつ正確に投入することを図るために、容器を幅方向（容器搬送方向に対して幅方向）に複数並べて、それら並んだ複数の容器に同時に小袋を投入する多列分配装置が用いられている。
【０００４】
この種の多列分配装置には、図７に示すように、小袋切断装置ａ、ベルト式シュートｂ、分配コンベアｃ、シャッターｄにより構成されたものがある。
【０００５】
小袋切断装置においては、図７に示すように、帯状にパウチ（小袋）が連続した連包袋ｅのパウチ間になる横シールのピッチを計測することによりカット位置までに送る長さがきまると、フィード機構により、この送り長さ分だけ前記連包袋ｅが送られて停止する（間欠フィード方式）。連包袋ｅの送り完了を受けて、ギロチン式カッターが作動し、連包袋ｅの横シール部分の中央をカットする。１個づつに切断されたパウチｅ１は、ベルト式シュートを経由して分配コンベアｃのアタッチメントｃ１間へ投入される。
【０００６】
上述の構成のようなベルト式シュートにおいては、分配コンベアｃのアタッチメントｃ１間へパウチｅ１を投入するため、摩擦や引っかかりによりバラツキが発生する自由落下式シュートではなく、分配コンベアｃの速度より早い速度のコンベアベルト上にパウチｅ１を乗せてアタッチメントｃ１間に投入する。投入位置は、分配コンベアｃの最初の部分でアタッチメントｃ１が１８０°回転しているところになっており、タイミングが遅れると、上から回転してきたアタッチメントｃ１がパウチｅ１を押しつぶすことになる。このため、できるだけ早く投入できるようにしている。
【０００７】
また、分配コンベアｃにおいては、中央部にアタッチメントｃ１が通過できるように搬送方向に連続した溝のある搬送面と、オーバーヘッド構成のアタッチメント付のベルトコンベアにて構成している。ベルト式シュートから投入されるパウチｅ１は、最初アタッチメントｃ１間に載置されているがアタッチメントｃ１が移動してきてパウチｅ１を押すようになると、アタッチメントｃ１基準で押された配布位置まで移送される。なお、分配位置の搬送面は観音開きのシャッターとなっている。容器個数分のパウチがシャッター部分に搬送されると、分配コンベアｃは移動を停止する（すなわち、間欠搬送コンベアの機能になっている）。
【０００８】
なお、シャッターにおいては、搬送と直角方向に観音開き式に開くシャッターであり、分配コンベアｃが停止すると、シャッターが開き、パウチｅ１はカップ（容器ｆ）方向に自由落下する。
【０００９】
しかしながら、上記従来の多列分配装置では、次の問題があった。
【００１０】
（１）ベルト式シュートの投入タイミングの遅れによるアタッチメントによるパウチ噛み込みの虞があった。
上記の多列分配装置では、分配コンベアは間欠動作するため、起動・停止時は、コンベア速度が一定しない（分配コンベアの動き、停止状態から増速、一定速度での搬送、減速停止）ため、一定速度のベルト式シュートでは同期投入がむずかしい。また、間欠動作のため、停止時間のロスがあり、運転時間（分配コンベアの搬送時間）はこのロスを取り返すため（連続運転する場合に比べて）高速運転しなければならない。このため、アタッチメント間への投入可能時間（直接運転する場合に比べて）短くなり、アタッチメント間への投入をより一層難しくしている。特に、供給速度が２００個／分を超える領域では分配コンベアの速度が速くなり過ぎて、投入バラツキがあるため安定しない場合があった。
【００１１】
したがって、生産効率をあげるべく上記供給速度をさらに高速化し、例えば３００個／分の高速運転することが従来困難であった。
【００１２】
なお、アタッチメントが上方からベルト上面に臨むオーバヘッドコンベアの構成では、パウチの噛み込みが発生すると、パウチがアタッチメントとこれの通過溝の間に挟み込まれて剪断されたとき（パウチが破袋すると装置清掃が必要）、またはアタッチメントが破損したとき、長時間の生産停止の原因になる。
【００１３】
（２）従来意の多列分配装置では、間欠動作にならざるを得ないシャッターに対してパウチ切断と搬送系を連続運転させることができなかった。
【００１４】
（３）間欠搬送によるパウチの位置ずれの生じる場合があった。
従来方式の多列分配装置の場合、分配コンベアを起動・停止を繰り返す間欠搬送している。このため、シュート面上をアタッチメントに押されて搬送するパウチは、シュート面から受ける摩擦力に比べて停止時のマイナス方向（パウチの進行方向）への慣性力が大きくなると、アタッチメント端面から離れてしまう。このような、「離れ」が発生するとシャッターを開き投入する際の投入位置がばらつくことになり、投入先の容器からパウチがはみ出てしまう。このようなパウチのはみ出しが発生した場合、作業者がパウチの位置を修正しないと蓋を自動的に閉める際に噛み込みが発生する。
【００１５】
また、停止時の慣性力を小さくするため、減速時時間を大きくすると、コンベアの最高速度が大きくなりベルトシュートからアタッチメント間にパウチを投入する際の時間的余裕が少なくなり、「つまり」が発生しやすくなる。
このことからも、従来の分配装置では２００個／分を越す運転が困難であった。
【００１６】
（４）容器内投入の安定性
従来方式の多列分配装置は、分配コンベアを停止させシャッターを開けてパウチを自由落下させ容器内へ投入する。停止時のパウチは十分減速されていないと、アタッチメントが停止しても、シュート搬送面からの摩擦力に対して自重による慣性力が上回っていると、パウチはアタッチメント端面から離れ搬送面を滑ってから自由落下することになり、容器内への投入位置が安定しない。つまり搬送面の摩擦が定位置投入するための重要なカギになる。摩擦力は、搬送面の汚れやパウチ自身の表面状態によっても変化するため一定化することが出来なかった。
【００１７】
なお、上記に多列分配装置に関連して出願人は、特開２００７−１２６１７６３号公報に示されるような、コンベア上の複数の小袋を吸着して多列の容器内に同時に投入するものを提案している。しかしながら、この多列分配装置では、シュート搬送面からの投入する安定性を確保できるが、上記（１）〜（４）の高速搬送時の課題に対してさらなる考慮が要請される。
【先行技術文献】
【特許文献】
【００１８】
【特許文献１】特開２００７−１２６１７６３号公報
【発明の概要】
【発明が解決しようとする課題】
【００１９】
本発明は、斯かる実情に鑑み、多少の投入バラツキがあってもアタッチメント間の一定な位置に常に小袋を投入でき、シャッターが開閉動作する際にシャッター部分への小袋の進入をなくし、供給コンベアの小袋投入の位置のずれを無くすことができ、搬送面の摩擦変動の影響を無くして容器内への安定投入を可能にできる多列分配装置を提供するものである。
【課題を解決するための手段】
【００２０】
本発明は多列分配装置にかかるものであり、次の構成を有する。
【００２１】
本発明は、複数の小袋が連なった連包袋を各小袋に分断するカッターと、配列した複数の容器の上方で該配列方向に沿って前記分断された小袋を搬送する搬送手段と、搬送された小袋を前記配列した複数の容器内に同時に投入するためのシャッター手段とを有する多列分配装置において、
分断された小袋を順次に振り分けシュートに向けて供給する供給部と、
長さ方向が水平かつ複数の容器の配列方向に沿って配置されかつ幅方向中央に連続した溝のある板材であってその搬送面上に小袋を滑らせるメインシュートと、
前記メインシュートに平行かつメインシュートの上方に位置して、長さ方向に見て入側端の位置がメインシュートの入側端と同じ位置でかつ長さが前記メインシュートよりも短くかつ幅方向中央に連続した溝のある板材であってその搬送面上に小袋を滑らせるサブシュートと、
幅方向中央に連続した溝のある板材であって後端が上下に移動して前記メインシュートまたは前記サブシュートの入側端に位置することによって、前記供給部から供給された小袋を前記メインシュートまたは前記サブシュートに選択的に向ける振り分けシュートと、
これら振り分けシュート、メインシュートおよびサブシュートの上方に位置して複数のアタッチメントを小袋の搬送方向に駆動させる分配コンベアと、
下方部が前記振り分けシュート、メインシュートおよび振り分けシュートの溝内に入った状態で前記小袋をそれぞれで押して搬送する複数のアタッチメントと、
前記メインシュートを幅方向に開閉動作させるものであって、閉状態時に小袋をメインシュート搬送面上に滑らせて搬送可能にし、一方、開状態時に小袋を下方に配列された複数の容器に向けて落下可能にするメインシャッター手段と、
前記振り分けシュートの駆動とメインシャッター手段の駆動を制御する制御部とを備え、
前記制御部は、前記振り分けシュートをメインシュートに向けた状態で前記小袋をアタッチメントで押してメインシュート搬送面上で搬送させていって、前記小袋が配列された複数の容器に対応した位置に搬送されたときに、メインシャッター手段の開き動作のときに振り分けシュートをサブシュート側に切換えてアタッチメントにより前記小袋をサブシュート上に搬送させ、一方、前記メインシャッター手段の閉じ動作のときに振り分けシュートをメインシュート側に切換えてアタッチメントによってサブシュート上の小袋をメインシュート上に搬送しかつ供給部からの小袋を振り分けシュートからメインシュート上にアタッチメントによって搬送させるようにしたことを特徴とする多列分配装置である。
【００２２】
本発明において、前記カッターは、複数の刃を円周上に等間隔に配置しており、連包袋の送り速度と同期して、該連包袋の小袋同士を繋いでいる横シール部を切断するロータリーカッターであることが好適である。
【００２３】
また、本発明において、前記供給部は、前記分配コンベアによるアタッチメントの送り速度に同期させた送り速度のコンベアベルトによって振り分けシュートに小袋を供給することが好適である。
【００２４】
本発明において、前記メインシュートの下方には、小袋の容器への落下位置をガイドするホッパーを設け、このホッパーには、その底部を開閉する投入シャッター手段を設け、制御部は、投入シャッター手段が閉状態時にメインシャッター手段を開動作させてメインシャッター手段から落下した小袋をホッパー内に一時的に貯留し、前記メインシャッター手段が閉動作した後に投入シャッター手段を開状態にして小袋を容器内に投入するようにしたことが好適である。
【発明の効果】
【００２５】
本発明の多列分配装置によれば、上記の構成のため、前記制御部によって、前記振り分けシュートをメインシュートに向けた状態で前記小袋をアタッチメントで押してメインシュート搬送面上で搬送させていって、前記小袋が配列された複数の容器に対応した位置に搬送されたときに、メインシャッター手段の開き動作のときに振り分けシュートをサブシュート側に切換えてアタッチメントにより前記小袋をサブシュート上に搬送させ、一方、前記メインシャッター手段の閉じ動作のときに振り分けシュートをメインシュート側に切換えて、アタッチメントによってサブシュート上の小袋をメインシュート上に搬送しかつ供給部からの小袋を振り分けシュートからメインシュート上にアタッチメントによって搬送させるようにしたので、小袋を投入するためメインシャッター手段を開き動作させているときでも、サブシュート上に小袋と搬送できことから、搬送ベルトおよびアタッチメントの搬送動作を停止する必要がなく、連続動作を可能にできる。
【００２６】
したがって、分配コンベアを間欠動作等で停止させることなく（連続運転できるので）、アタッチメントを連続して駆動して小袋を搬送することができるので、アタッチメント間への小袋投入可能時間は最大限に使用可能になる（投入待ち時間が無くなる）。
また、分配コンベアの動きに同期して供給部およびカッターを運転することにより、同じ投入条件（コンベア速度が一定しないときの、加速・減速区間での小袋投入がなくなる）になり、安定したアタッチメント間投入が実現できる。
【００２７】
また、前記小袋が配列された複数の容器に対応した位置に搬送されたときに、メインシャッター手段の開き動作のときに振り分けシュートをサブシュート側に切換えてアタッチメントにより前記小袋をサブシュート上に搬送させるので、メインシュートに小袋が進入することなく、アタッチメントで小袋を押し続けて連続搬送を可能にできる。
【００２８】
また、連続運転できるため、メインシャッター手段でメインシュートが開いて小袋が同じ搬送速度のまま落下するので落下位置にずれが生じにくく（間欠運転では停止時点で小袋が惰性で滑っておりそのままシャッターが開くと小袋の落下位置が不安定で落下位置のずれが生じるが、連続運転ではこのような落下位置の大きなずれが生じ難い）、小袋の容器投入精度を上げることができる。
以上のことから、本発明によれば従来困難であった容器への投入個数２００個／分以上を達成でき３００個／分の高速運転を可能にする。
【００２９】
本発明において、前記カッターは、複数の刃を円周上に等間隔に配置し連包袋の送りと同期して、該連包袋の小袋同士を繋いでいる横シール部を切断するロータリーカッターととすることによって、刃が対向作動するいわゆるギロチン式に比較して小袋の送りを止めることなく分断できるので供給部の供給速度に同期させた正確な送りを実現できる。
【００３０】
また本発明において、前記供給部は、前記分配コンベアによるアタッチメントの送り速度に同期させた送り速度のコンベアベルトによって振り分けシュートに小袋を供給することにより、振り分けシュートにタイミングをずらすことなくスムーズに小袋を供給できる。
【００３１】
また、本発明において、前記メインシュートの下方には、小袋の容器への落下位置をガイドするホッパーを設け、このホッパーには、その底部を開閉する投入シャッター手段を設け、制御部は、投入シャッター手段が閉状態時にメインシャッター手段を開動作させてメインシャッター手段から落下した小袋をホッパー内に一時的に貯留し、前記メインシャッター手段が閉動作した後に投入シャッター手段を開状態にして小袋を容器内に投入する構成が好ましい。この構成では、ホッパーによって小袋をガイドするので最終落下位置で小袋の長さおよび幅を方向に位置を規制して容器外にはみ出さないように正確に位置決めできる。また、投入シャッター手段によって一端小袋を静止てからタイミングを自由に設定して容器に投入できるため、容器の搬送バランスが取りやすい等の優れた効果を奏し得る。
【図面の簡単な説明】
【００３２】
【図１】本発明の実施形態に係る多列分配装置の正面図である。
【図２】図１の多列分配装置の平面図である。
【図３】図１の多列分配装置の分配コンベア、振り分けシュート、メインシュートおよびサブシュート等の周辺の側面図である。
【図４】図１の多列分配装置の振り分けシュート周辺の詳細側面図である。
【図５】図１の多列分配装置のメインシャッター手段の長手方向視図である。
【図６】（ａ）〜（ｃ）は図１の多列分配装置の振り分けシュートの作動状態説明図である。
【図７】従来の多列分配装置の説明図である。
【発明を実施するための形態】
【００３３】
以下、本発明の実施形態について、添付図面を参照して説明する。
【００３４】
実施形態の多列分配装置は、図１〜図６に示すように、複数の小袋１０が連なった連包袋（帯状パウチ）１２を各小袋１０に分断するカッター１４と、配列した複数の容器１６の上方で該配列方向に沿って前記分断された小袋１０を搬送する搬送手段１８と、搬送された小袋１０を前記配列した複数の容器１６内に同時に投入するためのシャッター手段２０とを有する多列分配装置に係るものである。
【００３５】
前記多列分外装置は、分断された小袋１０を順次に振り分けシュート２２に向けて供給する供給部２４と、長さ方向が水平かつ複数の容器１６の配列方向に沿って配置されかつ幅方向中央に連続した溝２６ａのある金属製の板材であってその搬送面上に小袋１０を滑らせ、かつ幅方向に左右に可動するメインシュート２６と、前記メインシュート２６に平行かつメインシュート２６の上方に位置して、長さ方向に見て入側端の位置がメインシュート２６の入側端と同じ位置でかつ長さが前記メインシュート２６よりも短くかつ幅方向中央に連続した溝２８ａのある金属製の板材であってその搬送面上に小袋１０を滑らせる固定式のサブシュート２８と、幅方向中央に連続した溝のある板材であって後端が上下に移動して前記メインシュート２６または前記サブシュート２８の入側端に位置することによって、前記供給部２４から供給された小袋１０を前記メインシュート２６または前記サブシュート２８に選択的に向ける振り分けシュート２２と、これら振り分けシュート２２、メインシュート２６およびサブシュート２８の上方に位置して複数のアタッチメント３２を小袋１０の搬送方向に駆動させる分配コンベア３０と、下方部が前記振り分けシュート２２、メインシュート２６および振り分けシュート２２の溝２２ａ内に入った状態で前記小袋１０をそれぞれで押して搬送する複数のアタッチメント３２と、前記メインシュート２６を幅方向に開閉動作させるものであって、閉状態時に小袋１０をメインシュート２６搬送面上に滑らせて搬送可能にし、一方、開状態時に小袋１０を下方に配列された複数の容器１６に向けて落下可能にするメインシャッター手段２０と、供給部２４、前記振り分けシュート２２の駆動、メインシャッター手段２０および分配コンベア３０の駆動を制御する制御部３６とを備えている。
【００３６】
前記分配コンベア３０とアタッチメント３２によって搬送手段１８を構成している。この搬送手段１８と振り分けシュート２２、メインシュート２６およびサブシュート２８は容器搬送ライン３４の上方に位置して（オーバハングして）延設されている。
【００３７】
容器搬送ライン３４は、容器１６を一つの列に複数個（実施形態では１０個）配列して、多数列に並べた小袋未投入の容器１６の上面開口を上記多列分配装置における小袋の投入位置に位置決めをして待機させ、そして、小袋１０を容器１６に投入後、小袋１０の投入された容器１６および投入する前の容器１６を列方向の直角方向に順次に送って連続運転するものである。
図２では、容器搬送ライン３４の配列方向をＸ方向で、送り方向を「Ｙ」方向で示している。
【００３８】
分配コンベア３０は、上記容器搬送ライン３４の容器配列方向に延びるフレーム３０ａに張られて、駆動モータ３０ｂの駆動によってを循環駆動しかつアタッチメント３２を外面に垂直に立設した帯状ベルトコンベアであって、分配コンベア３０の両端部が前記容器搬送ライン３４の列方向両端部よりも外側に位置する。振り分けシュート２２、メインシュート２６及びサブシュート２８と、メインシャッター手段２０と、ホッパー５０および投入シャッター手段５２は上記フレーム３０ａの下方部に設けられている。
【００３９】
前記供給部２４はフレームで支持されたテーブル上に主に設けられ、テーブルを含めて全体が前記分配コンベア３０の入側に配設され、供給部２４の送りライン面と前記分配コンベア３０の送りライン面とが同一レベル面に一致している。制御部３６は供給部２４のフレーム内または外部に設けられたコンピュータ等の制御機器によって各モータやアクチュエータに各種の制御指令を発する。供給部２４の上方に制御部３６の各種入力をする操作パネル３６ａが設けられる。
【００４０】
前記制御部３６による主な制御は、まず、図６（ａ）に示すように、前記振り分けシュート２２をメインシュート２６に向けた状態で前記小袋１０をアタッチメント３２で押してメインシュート２６搬送面上で搬送させていく。前記小袋１０が配列された複数の容器１６に対応した位置に搬送されたときに、図６（ｂ）から（ｃ）に示すように、メインシャッター手段２０の開き動作のときに振り分けシュート２２をサブシュート２８側に切換えてアタッチメント３２により前記小袋１０をサブシュート２８上に搬送させる。
そして、前記メインシャッター手段２０の閉じ動作のときに振り分けシュート２２をメインシュート２６側に切換えてアタッチメント３２によってサブシュート２８上の小袋１０をメインシュート２６上に搬送しかつ供給部２４からの小袋１０を振り分けシュート２２からメインシュート２６上にアタッチメント３２によって搬送させるようにしたものである。
【００４１】
前記カッター１４は、複数の刃を円周上に等間隔に２枚配置しており、連包袋１２の送り速度と同期して回転して、該連包袋１２の小袋１０同士を繋いでいる横シール部１２ａを切断するロータリーカッターである。
【００４２】
また、前記供給部２４は、前記分配コンベア３０によるアタッチメント３２の送り速度に同期させた送り速度のコンベアベルトによって振り分けシュート２２に小袋１０を供給する。
【００４３】
上記の供給部２４の入側には、連続した帯状の連包袋１２をカッター１４に導入するガイドするロールユニット３８と、前記連包袋１２に概略等ピッチで設けてある横シール部１２ａを検出するピッチ検出ユニット４０と、上記連包袋１２の縦シール部分をベルトで挟み込みロータリー式のカッター１４の動きと同期してカット位置に送り込むベルトフィード４２とを設けている。
【００４４】
上記の送り機構でロータリーカッターのカッター１４で送り込み切断するようにしており、この際に、連続した帯状の連包袋１２の横シール部１２ａピッチを計測することにより、カット位置まで送る長さが決まり、ロータリーカッターの回転と連包袋１２の送りを同期させることにより、横シール部の中央部をカットする。なお、ロータリーカッターの回転は、搬送手段１８における供給部２４の遅速に同期（供給部２４の供給コンベア装置の駆動軸にエンコーダを取り付け、その信号によりカッター１４の回転速度を制御）している。１個づつ切断された小袋１０は、斜め下方に向かうベルトシュート４４を経由して供給部２４の供給コンベア（搬送シュート４６、コンベアベルト４８）のアタッチメント３２間へ確実に投入される。
【００４５】
ベルトシュート４４は、供給コンベアのアタッチメント３２間へ小袋１０を投入するため、摩擦や引っ掛かりによるバラツキが発生する自由落下式シュートではなく、供給コンベア（搬送シュート４６、コンベアベルト４８）の速度を合わせた速度のコンベアベルト上に小袋１０を乗せて当該供給コンベアに小袋１０を投入するものである。
【００４６】
前記供給部２４の供給用コンベアは、小袋１０を搬送する水平な搬送シュート４６の下側にアタッチメント３２付のコンベアベルト４８を形成するものである。搬送シュート４６の中央部分は長手方向に連続した溝４６ａがあり、アタッチメント３２先端がこの溝４６ａから搬送シュート４６の上面から上方に突き出している（図４参照）。
【００４７】
搬送シュート４６上に乗る小袋１０はこの突き出したアタッチメント３２間のほぼ中央を狙ってベルトシュート４４から投入される。アタッチメント３２に小袋１０が当たると、これに押されて移動するため、分配コンベア３０に受け渡すときにはアタッチメント３２を基準にして搬送されている。
【００４８】
なお、供給コンベア（搬送シュート４６、コンベアベルト４８）は、連続動作しておりマイナス方向（小袋１０の進行方向）の加速度が発生しないことおよびシュート面の摩擦により、アタッチメント３２で押された小袋１０がアタッチメント３２から離れることなく搬送される。
【００４９】
分配コンベア３０では、小袋１０を搬送する水平に設けたメインシュート２６の上側にアタッチメント３２付ベルトコンベア（分配コンベア３０）を形成しており、メインシュート２６の中央部分に長手方向に連続した溝２６ａがあり、この部分にアタッチメント３２先端が通過し、シュート上に乗った小袋１０はアタッチメント３２に押されて搬送される。
【００５０】
アタッチメント３２間隔は供給コンベア（搬送シュート４６、コンベアベルト４８）と同じで、同一の駆動源で駆動しているため搬送速度は完全に同じである。また、アタッチメント３２間隔は、投入先の容器１６間のピッチと同じになっている。供給コンベア（搬送シュート４６、コンベアベルト４８）終端と分配コンベア３０の最初の部分がオーバーラップしており（図１、図４参照）、この部分で小袋１０は供給コンベアの（下側の）アタッチメント３２から分配コンベア３０の（上側の）アタッチメント３２に受け渡される。受け渡された小袋１０は投入位置まで搬送される。なお、投入位置のメインシュート２６の搬送面は、メインシュート２６をその溝２６ａから観音開き式に幅方向に開かせる構造のメインシャッター手段２０になっている。メインシャッター手段２０は、図５に詳細に示すように、支点２０ａを中心にリンク２０ｂを介して駆動モータ２０ｃによってメインシュート２６を溝２６ａから左右に開閉させるものである。分配コンベア３０のアタッチメント３２がサブシュート２８の溝２８ａを通してメインシュート２６の溝２６ａ内に入るように分配コンベア３０の下面から突出して配置されている。
【００５１】
ロータリカット式のカッター１４、ベルトシュート４４、供給コンベア（搬送シュート４６、コンベアベルト４８）、分配コンベア３０までは連続動作し、コンベアの動きに同期して連続的に連包袋１２に切断して個々の小袋１０に切り分け、アタッチメント３２間に次々と小袋１０を搬入する。
【００５２】
振り分けシュート２２は、メインシュート２６の入側に配置されており、入側端が支点２２ｂにして出側端が上下に揺動する。メインシュート２６の入り口付近は上段にサブシュート２８が設けられており、メインシュート２６の搬送面に直接送り込まれる場合と上部のサブシュート２８に送り込まれる場合とがあり、この搬送面の切換えを行うのが振り分けシュート２２である。振り分けシュート２２は詳細には、図４に示すように、上記分配コンベア３０のフレーム３０ａに対して支点２２ｂが設けられ、リンク２２ｃを介して駆動アクチュエータ２２の回転駆動によって切換えられる。
【００５３】
前記シャッター手段２０によって、メインシュート２６が開くと、小袋１０はホッパー５０に落下する。
【００５４】
すなわち、前記メインシュート２６の下方には、小袋１０の容器１６への落下位置をガイドするホッパー５０を設け、このホッパー５０には、その底部を開閉する投入シャッター手段５２を設けている。
【００５５】
制御部３６は、投入シャッター手段５２が閉状態時にメインシャッター手段２０を開動作させてメインシャッター手段２０から落下した小袋１０をホッパー５０内に一時的に貯留し、前記メインシャッター手段２０が閉動作した後に投入シャッター手段を開状態にして小袋１０を容器１６内に投入するようにしている。
【００５６】
すなわち、メインシャッター手段２０が開くと小袋１０はホッパー５０に自由落下する。
【００５７】
また、上部のメインシャッター手段２０は、下部の投入シャッター手段５２が開閉動作した（小袋１０を容器１６内に投入した）後、小袋１０が搬送されてくると、ホッパー５０内に落下してしまうためメインシュート２６が「開」動作と同時に振り分けシュート２２の出側端を上方向に移動して小袋１０の搬送をサブシュート２８に送り込む。メインシャッター手段２０によってメインシュート２６が「閉」状態になってから、振り分けシュート２２が下方に揺動してメインシュート２６に向かい、小袋１０をメインシュート２６に搬送させる。
【００５８】
振り分けシュート２２によってメインシュート２６およびサブシュート２８の搬送面の切換えがあるため、ロータリーカッターのカッター１４から分配コンベア３０までの連続動作させることができる。
【００５９】
振り分けシュート２２がサブシュート２８に向いているときもメインシュート２６に切り替わった後もサブシュート２８およびメインシュート２６上の小袋１０をアタッチメント３２で押して搬送している。メインシャッター手段２０によってメインシュート２６が開いているときは、メインシュート２６の小袋１０はホッパー５０に落ちる。そのメインシャッター手段２０の開閉時にも分配コンベア３０の駆動は停止せず連続運転しており、アタッチメント３２によって上方のサブシュート２８上で小袋１０が搬送されている。
【００６０】
前記メインシャッター手段２０が閉じたときに振り分けシュート２２がメインシュート２６側に向いて小袋１０をメインシュート２６上に搬送するが、サブシュート２８上の小袋１０はメインシュート２６上に移って（落ちて）そのままメインシュート２６上に搬送される。
【００６１】
ホッパー５０は、メインシャッター手段２０の「開」に伴い、放物線軌跡で自由落下する小袋１０をガイドする。したがって、最終落下位置では、小袋１０の長さおよび幅方向を規制するので、容器１６に投入した際、小袋１０が容器１６外に飛び出すことを確実に防止できる。
【００６２】
前記投入シャッター手段５２が開くと、ホッパー５０で幅および長さ方向の位置を規制されながら、垂直下方に小袋１０が自由落下して容器１６内に投入される。
【００６３】
実施形態の多列分配装置によれば、上記の構成のため、前記制御部３６によって、前記振り分けシュート２２をメインシュート２６に向けた状態で前記小袋１０をアタッチメント３２で押してメインシュート２６搬送面上で搬送させていって、前記小袋１０が配列された複数の容器１６に対応した位置に搬送されたときに、メインシャッター手段２０の開き動作のときに振り分けシュート２２をサブシュート２８側に切換えてアタッチメント３２により前記小袋１０をサブシュート２８上に搬送させ、一方、前記メインシャッター手段２０の閉じ動作のときに振り分けシュート２２をメインシュート２６側に切換えて、アタッチメント３２によってサブシュート２８上の小袋１０をメインシュート２６上に搬送しかつ供給部２４からの小袋１０を振り分けシュート２２からメインシュート２６上にアタッチメント３２によって搬送させる。このようにしたので、小袋１０を投入するためメインシャッター手段２０を開き動作させているときでも、サブシュート２８上に小袋１０を搬送できることから、搬送ベルトおよびアタッチメント３２の搬送動作を停止する必要がないので連続動作を可能にできる。
【００６４】
したがって、分配コンベア３０を間欠動作等で停止させることなく（連続運転できるので）、アタッチメント３２を連続して駆動して小袋１０を搬送することができるので、アタッチメント３２間への小袋１０投入可能時間は最大限に使用可能になる（投入待ち時間が無くなる）。また、分配コンベア３０の動きに同期して供給部２４およびカッター１４を運転することにより、同じ投入条件（コンベア速度が一定しないときの、加速・減速区間での小袋１０投入がなくなる）になり、安定したアタッチメント３２間投入が実現できる。
【００６５】
また、前記小袋１０が配列された複数の容器１６に対応した位置に搬送されたときに、メインシャッター手段２０の開き動作のときに振り分けシュート２２をサブシュート２８側に切換えてアタッチメント３２により前記小袋１０をサブシュート２８上に搬送させるので、メインシュート２６に小袋１０が進入することなく、アタッチメント３２で小袋１０を押し続けて連続搬送を可能にできる。
【００６６】
また、連続運転できるため、メインシャッター手段２０でメインシュート２６が開いて小袋１０が同じ搬送速度のまま落下するので落下位置にずれが生じにくく（間欠運転では停止時点で小袋１０が惰性で滑っておりそのままシャッターが開くと小袋１０の落下位置が不安定で落下位置のずれが生じるが、連続運転ではこのような落下位置の大きなずれが生じ難い）、小袋１０の容器１６投入精度を上げることができる。
【００６７】
なお、前記カッター１４は、複数の刃を円周上に等間隔に配置し連包袋１２の送りと同期して、該連包袋１２の小袋１０同士を繋いでいる横シール部を切断するロータリーカッターとすることによって、刃が対向作動するいわゆるギロチン式に比較して小袋１０の送りを止めることなく分断できるので供給部２４の供給速度に同期させた正確な送りを実現できる。
【００６８】
また、前記供給部２４は、前記分配コンベア３０によるアタッチメント３２の送り速度に同期させた送り速度のコンベアベルトによって振り分けシュート２２に小袋１０を供給することにより、振り分けシュート２２にタイミングをずらすことなくスムーズに小袋１０を供給できる。
【００６９】
また、制御部３６が、メインシャッター手段２０の開動作時に投入シャッター手段５２を閉動作させて、メインシャッター手段２０から落下した小袋１０をホッパー５０内に一時的に貯留し、前記メインシャッター手段２０が閉動作時に投入シャッター手段５２を開動作させて小袋１０を容器１６内に投入するようにしたので、ホッパー５０によって小袋１０をガイドするので最終落下位置で小袋１０の長さおよび幅を方向に位置を規制して容器１６外にはみ出さないように正確に位置決めできる。
【００７０】
また、投入シャッター手段５２によって一端小袋１０を静止てからタイミングを自由に設定して容器１６に投入できるため、容器１６の搬送バランスが取りやすい等の優れた作用効果を奏する。
【産業上の利用可能性】
【００７１】
本発明の多列分配装置は、容器に製品を格納する包装ラインで各種小袋を容器内に投入する多列分配装置に利用することができる。
【符号の説明】
【００７２】
１０  小袋
１２  連包袋
１２ａ  横シール部
１４  カッター
１６  容器
１８  搬送手段
２０  メインシャッター手段
２０ａ  メインシャッター手段の支点
２０ｂ  メインシャッター手段のリンク
２０ｃ  メインシャッター手段の駆動モータ
２２  振り分けシュート
２２ａ  振り分けシュートの溝
２２ｂ  振り分けシュートの支点
２２ｃ  振り分けシュートのリンク
２２ｄ  振り分けシュートの駆動アクチュエータ
２４  供給部
２６  メインシュート
２６ａ  メインシュートの溝
２８  サブシュート
２８ａ  サブシュートの溝
３０  分配コンベア
３０ａ  分配コンベアのフレーム
３０ｂ  分配コンベアの駆動モータ
３２  アタッチメント
３４  容器搬送ライン
３６  制御部
３６ａ  操作パネル
３８  ロールユニット
４０  ピッチ検出ユニット
４２  ベルトフィード
４４  ベルトシュート
４６  搬送シュート
４６ａ  搬送シュートの溝
４８  コンベアベルト
５０  ホッパー
５２  投入シャッター手段
【図１】
2010274952.tif 000003
【図２】
2010274952.tif 000004
【図３】
2010274952.tif 000005
【図４】
2010274952.tif 000006
【図５】
2010274952.tif 000007
【図６】
2010274952.tif 000008
【図７】
2010274952.tif 000009